(57)【要約】【課題】隣接セルの情報をユーザ装置で取得する。【解決手段】ユーザ装置（ＵＥ）は、隣接セルからシステムインフォメーションタイプブロックＳＩＢＩを読み取り、従って、前記隣接セルによりブロードキャストされる周波数帯域リスト情報、即ち「ｆｒｅｑＢａｎｄＩｎｄｉｃａｔｏｒ」及び「ｍｕｌｔｉｂａｎｄＩｎｆｏＬｉｓｔ」を検索し；ユーザ装置（ＵＥ）は、次いで、前記周波数帯域リスト情報、即ち「ｍｕｌｔｉｂａｎｄＩｎｆｏＬｉｓｔ」を、測定レポート、例えば、「ＭｅａｓＲｅｓｕｌｔＥＵＴＲＡ」又は「ＭｅａｓＲｅｓｕｌｔＵＴＲＡ」オブジェクトに含まれたサービングセルへ報告する。【選択図】図７
2019165508.tif 000002
【特許請求の範囲】
【請求項１】
少なくとも１つの隣接セルによってブロードキャストされる周波数帯域リストをユーザ装置により読み取り；及び
ユーザ装置にサービスするセルに前記周波数帯域リストを報告する；
ことを含む方法。
【請求項２】
前記周波数帯域リストを含む情報エレメントを測定レポートに追加することを更に含み、前記報告は、その情報エレメントを含む測定レポートをサービングセルへ送出することを含む、請求項１に記載の方法。
【請求項３】
前記追加は、測定レポートのｌａｔｅＮｏｎＣｒｉｔｉｃａｌＥｘｔｅｎｓｉｏｎに新たなパラメータを追加することを更に含む、請求項１又は２に記載の方法。
【請求項４】
前記測定レポートは、ＭｅａｓＲｅｓｕｌｔＥＵＴＲＡ又はＭｅａｓＲｅｓｕｌｔＵＴＲＡを含む、請求項１から３のいずれか１つに記載の方法。
【請求項５】
前記追加は、前記測定レポートがｒｅｐｏｒｔＣＧＩ測定のためのものであるとき、又はユーザ装置が周波数帯域リストを測定レポートにおいてサービングセルへ報告できるとき、又は隣接セルが付加的な周波数帯域をサポートするとき、測定レポートに情報エレメントを追加することを含む、請求項２に記載の方法。
【請求項６】
少なくとも１つのプロセッサ、及び
コンピュータプログラムコードを含む少なくとも１つのメモリ、
を備えた装置において、少なくとも１つのメモリ及びコンピュータプログラムコードは、少なくとも１つのプロセッサとで、装置が、少なくとも、
少なくとも１つの隣接セルによりブロードキャストされる周波数帯域リストを読み取り、及び
ユーザ装置にサービスするセルに周波数帯域リストを報告する、
ようにさせるよう構成された装置。
【請求項７】
少なくとも１つの隣接セルによりブロードキャストされる周波数帯域リストを読み取るための読み取り手段、及び
ユーザ装置にサービスするセルに周波数帯域リストを報告するための報告手段、
を備えた装置。
【請求項８】
前記装置は、ユーザ装置である、請求項７に記載の装置。
【請求項９】
前記周波数帯域リストを含む情報エレメントを測定レポートに追加するための追加手段を更に備え、前記報告手段は、その情報エレメントを含む測定レポートをサービングセルへ送出する手段を含む、請求項７又は８に記載の装置。
【請求項１０】
前記追加手段は、測定レポートのｌａｔｅＮｏｎＣｒｉｔｉｃａｌＥｘｔｅｎｓｉｏｎに新たなパラメータを追加する手段を更に含む、請求項９に記載の装置。
【請求項１１】
前記測定レポートは、ＭｅａｓＲｅｓｕｌｔＥＵＴＲＡ又はＭｅａｓＲｅｓｕｌｔＵＴＲＡを含む、請求項７から１０のいずれか１つに記載の装置。
【請求項１２】
前記追加手段は、前記測定レポートがｒｅｐｏｒｔＣＧＩ測定のためのものであるとき、又はユーザ装置が周波数帯域リストを測定レポートにおいてサービングセルへ報告できるとき、又は隣接セルが付加的な周波数帯域をサポートするとき、測定レポートに情報エレメントを追加する手段を更に含む、請求項９に記載の装置。
【請求項１３】
コンピュータ読み取り可能な媒体において実施されるコンピュータプログラムであって、請求項１から５のいずれか１つに記載の方法を遂行するプロセスを制御するように構成されたコンピュータプログラム。
【請求項１４】
サービングセルにより、少なくとも１つの隣接セルによりブロードキャストされる周波数帯域リストを読み取りそして報告することのできるユーザ装置から測定レポートを受け取ることを含み；
前記周波数帯域リストは、少なくとも１つの隣接セルがサポートする周波数帯域番号を含むものであり、及び
前記測定レポートは、少なくとも１つの隣接セルによりサポートされる周波数帯域番号を含む情報エレメントを備えたものである、方法。
【請求項１５】
少なくとも１つの隣接セルによりサポートされる周波数帯域番号をユーザ装置が読み取り及び報告できるかどうか指示するインジケータを定義することを更に含む、請求項１４に記載の方法。
【請求項１６】
前記インジケータは、特徴グループインジケータ（ＦＧＩ）又はユーザ装置能力情報エレメントの少なくとも１つを含む、請求項１４又は１５の記載の方法。
【請求項１７】
前記測定レポートにおける周波数帯域番号のリストは、その帯域番号のｍａｘＭｕｌｔｉＢａｎｄインスタンスに対して０を有することを許す、請求項１４から１６のいずれか１つに記載の方法。
【請求項１８】
前記周波数帯域番号のリストが帯域番号の０インスタンスを含むとき、少なくとも１つの隣接セルは、付加的な周波数帯域をサポートしない、請求項１７に記載の方法。
【請求項１９】
少なくとも１つのプロセッサ、及び
コンピュータプログラムコードを含む少なくとも１つのメモリ、
を備えた装置において、少なくとも１つのメモリ及びコンピュータプログラムコードは、少なくとも１つのプロセッサとで、装置が、少なくとも、
少なくとも１つの隣接セルによりブロードキャストされる周波数帯域リストを読み取り及び報告することのできるユーザ装置から測定レポートを受け取るようにさせるよう構成され；
前記周波数帯域リストは、少なくとも１つの隣接セルがサポートする周波数帯域番号を含むものであり、及び
前記測定レポートは、少なくとも１つの隣接セルによりサポートされる周波数帯域番号を含む情報エレメントを備えたものである、装置。
【請求項２０】
少なくとも１つの隣接セルによりブロードキャストされる周波数帯域リストを読み取り及び報告することのできるユーザ装置から測定レポートを受け取るための受け取り手段を備え、
前記周波数帯域リストは、少なくとも１つの隣接セルがサポートする周波数帯域番号を含むものであり、及び
前記測定レポートは、少なくとも１つの隣接セルによりサポートされる周波数帯域番号を含む情報エレメントを備えたものである、装置。
【請求項２１】
少なくとも１つの隣接セルによりサポートされる周波数帯域番号をユーザ装置が読み取り及び報告できるかどうか指示するインジケータを定義する定義手段を更に備えた、請求項２０に記載の装置。
【請求項２２】
前記インジケータは、特徴グループインジケータ（ＦＧＩ）又はユーザ装置能力情報エレメントの少なくとも１つを含む、請求項２１の記載の装置。
【請求項２３】
前記測定レポートにおける周波数帯域番号のリストは、その帯域番号のｍａｘＭｕｌｔｉＢａｎｄインスタンスに対して０を有することを許す、請求項２０から２２のいずれか１つに記載の装置。
【請求項２４】
前記周波数帯域番号のリストが帯域番号の０インスタンスを含むとき、少なくとも１つの隣接セルは、付加的な周波数帯域をサポートしない、請求項２１に記載の装置。
【請求項２５】
前記装置は、進化型ノードＢ（ｅＮＢ）を含む、請求項２０から２４のいずれか１つに記載の装置。
【請求項２６】
コンピュータ読み取り可能な媒体において実施されるコンピュータプログラムであって、請求項１４から１８のいずれか１つに記載の方法を遂行するプロセスを制御するように構成されたコンピュータプログラム。
【発明の詳細な説明】
【技術分野】
【０００１】
関連出願の相互参照：本願は、２０１４年１月１６日に出願された米国特許出願第１４／１５６，８４６号の優先権を主張するものである。先に出願されたこの特許出願の内容全体を参考としてここに援用する。
【０００２】
本発明の実施形態は、一般的に、ユニバーサルモバイルテレコミュニケーションズシステム（ＵＭＴＳ）地上無線アクセスネットワーク（ＵＴＲＡＮ）長期進化（ＬＴＥ）及び進化型ＵＴＲＡＮ（Ｅ−ＵＴＲＡＮ）のようなワイヤレス通信ネットワークに関する。例えば、ある実施形態は、自己編成ネットワーク（ＳＯＮ）及び自動隣接関係（Automatic Neighbor Relationship, ＡＮＲ）に関するものである。
【背景技術】
【０００３】
ユニバーサルモバイルテレコミュニケーションズシステム（ＵＭＴＳ）地上無線アクセスネットワーク（ＵＴＲＡＮ）は、ベースステーション又はノードＢ及び無線ネットワークコントローラ（ＲＮＣ）を含む通信ネットワークを指す。ＵＴＲＡＮは、ユーザ装置（ＵＥ）とコアネットワークとの間の接続を許す。ＲＮＣは、１つ以上のノードＢに対する制御機能を果たす。ＲＮＣ及びそれに対応するノードＢは、無線ネットワークサブシステム（ＲＮＳ）と称される。
【０００４】
長期進化（ＬＴＥ）とは、新規スペクトル機会の改善された効率及びサービス、低コスト及び使用を通してのＵＭＴＳの改善を指す。特に、ＬＴＥは、少なくとも５０メガビット／秒（Ｍｂｐｓ）のアップリンクピークレート及び少なくとも１００Ｍｂｐｓのダウンリンクピークレートを与える第３世代パートナーシッププロジェクト（３ＧＰＰ）規格である。ＬＴＥは、２０ＭＨｚから１．４ＭＨｚまでの拡張可能な搬送波帯域巾をサポートすると共に、周波数分割デュープレックス（ＦＤＤ）及び時分割デュープレックス（ＴＤＤ）の両方をサポートする。
【０００５】
上述したように、ＬＴＥは、通信ネットワークのスペクトル効率を改善して、搬送波が所与の帯域巾にわたりより多くのデータ及びボイスサービスを提供できるようにする。それ故、ＬＴＥは、大容量のボイスサポートに加えて高速データ及びメディア搬送の将来のニーズを満足するように設計されている。ＬＴＥの効果は、スループットが高く、レイテンシーが低く、同じプラットホームにおいてＦＤＤ及びＴＤＤがサポートされ、エンドユーザの経験が改善され、及び簡単なアーキテクチャーで運転コストが低いことを含む。加えて、ＬＴＥは、ＩＰｖ４及びＩＰｖ６の両方をサポートする全インターネットプロトコル（ＩＰ）ベースのネットワークである。
【０００６】
自己編成ネットワーク（ＳＯＮ）は、移動無線アクセスネットワークの構成、管理及び最適化をより簡単に且つより速く行えるように意図された技術である。ＳＯＮ機能は、最初、３ＧＰＰリリース８及びそれ以降の仕様書に特定されている。ＳＯＮ特徴を使用する最初の技術は、ＬＴＥであるが、ＳＯＮは、ＵＭＴＳのような旧型の無線アクセス技術に対しても改造されている。ＬＴＥ仕様書は、自動隣接関係（ＡＮＲ）検出のようなＳＯＮ特徴をサポートする。
【発明の概要】
【０００７】
ある実施形態は、少なくとも１つの隣接セルによりブロードキャストされる周波数帯域リストをユーザ装置で読み取ることを含む。この方法は、更に、ユーザ装置にサービスするセルに周波数帯域リストを報告することも含む。
【０００８】
別の実施形態は、少なくとも１つのプロセッサ、及びコンピュータプログラムコードを含む少なくとも１つのメモリを備えた装置に向けられる。少なくとも１つのメモリ及びコンピュータプログラムコードは、少なくとも１つのプロセッサとで、装置が、少なくとも、少なくとも１つの隣接セルによりブロードキャストされる周波数帯域リストを読み取り、及びユーザ装置にサービスするセルに周波数帯域リストを報告する、ようにさせるよう構成される。
【０００９】
別の実施形態は、少なくとも１つの隣接セルによりブロードキャストされる周波数帯域リストを読み取るための読み取り手段、及びユーザ装置にサービスするセルに周波数帯域リストを報告するための報告手段を備えた装置に向けられる。
【００１０】
別の実施形態は、コンピュータ読み取り可能な媒体で実施されるコンピュータプログラムに向けられる。このコンピュータプログラムは、少なくとも１つの隣接セルによりブロードキャストされる周波数帯域リストを読み取り、及びユーザ装置にサービスするセルに周波数帯域リストを報告することを含むプロセスを遂行するようにプロセッサを制御するよう構成される。
【００１１】
別の実施形態は、サービングセルにより、少なくとも１つの隣接セルによりブロードキャストされる周波数帯域リストを読み取り及び報告することのできるユーザ装置から測定レポートを受け取ることを含む方法に向けられる。周波数帯域リストは、少なくとも１つの隣接セルがサポートする周波数帯域番号を含み、そして測定レポートは、少なくとも１つの隣接セルによりサポートされる周波数帯域番号を含む情報エレメントを備えている。
【００１２】
別の実施形態は、少なくとも１つのプロセッサ、及びコンピュータプログラムコードを含む少なくとも１つのメモリを備えた装置に向けられる。少なくとも１つのメモリ及びコンピュータプログラムコードは、少なくとも１つのプロセッサとで、装置が、少なくとも、少なくとも１つの隣接セルによりブロードキャストされる周波数帯域リストを読み取り及び報告することのできるユーザ装置から測定レポートを受け取るようにさせるよう構成される。周波数帯域リストは、少なくとも１つの隣接セルがサポートする周波数帯域番号を含み、そして測定レポートは、少なくとも１つの隣接セルによりサポートされる周波数帯域番号を含む情報エレメントを備えている。
【００１３】
別の実施形態は、少なくとも１つの隣接セルによりブロードキャストされる周波数帯域リストを読み取り及び報告することのできるユーザ装置から測定レポートを受け取るための受け取り手段を備えた装置に向けられる。周波数帯域リストは、少なくとも１つの隣接セルがサポートする周波数帯域番号を含み、そして測定レポートは、少なくとも１つの隣接セルによりサポートされる周波数帯域番号を含む情報エレメントを備えている。
【００１４】
別の実施形態は、コンピュータ読み取り可能な媒体で実施されるコンピュータプログラムに向けられる。このコンピュータプログラムは、少なくとも１つの隣接セルによりブロードキャストされる周波数帯域リストを読み取り及び報告することのできるユーザ装置から測定レポートを受け取ることを含むプロセスを遂行するようにプロセッサを制御するよう構成される。周波数帯域リストは、少なくとも１つの隣接セルがサポートする周波数帯域番号を含み、そして測定レポートは、少なくとも１つの隣接セルによりサポートされる周波数帯域番号を含む情報エレメントを備えている。
【００１５】
本発明を適切に理解するために添付図面を参照する。
【図面の簡単な説明】
【００１６】
【図１】一実施形態によるシステム情報ブロック１（ＳＩＢ１）の一例を示す。
【図２】一実施形態による周波数帯域インジケータを含むＭｕｌｔｉｂａｎｄＩｎｆｏＬｉｓｔ情報エレメント（ＩＥ）の一例を示す。
【図３ａ】一実施形態によるＭｅａｓＲｅｓｕｌｔＵＴＲＡの一例を示す。
【図３ｂ】一実施形態によるＭｅａｓＲｅｓｕｌｔＵＴＲＡの一例を示す。
【図４】一実施形態によるｌａｔｅＮｏｎＣｒｉｔｉｃａｌＥｘｔｅｎｓｉｏｎパラメータを含む測定レポートの一例を示す。
【図５】一実施形態によるシステムの一例を示す。
【図６ａ】一実施形態による装置の一例を示す。
【図６ｂ】別の実施形態による装置の一例を示す。
【図７】一実施形態による方法のフローチャートの一例を示す。
【発明を実施するための形態】
【００１７】
添付図面に示して一般的に述べる本発明のコンポーネントは、種々様々な異なる構成で配置され設計されることが容易に理解されよう。従って、添付図面に示された、ＡＮＲを経て隣接セルの付加的にサポートされる帯域を得るためのシステム、方法、装置及びコンピュータプログラム製品の実施形態の以下の詳細な説明は、本発明の範囲を限定するものではなく、本発明の選択された実施形態を単に表わすものである。
【００１８】
本明細書全体にわたって述べる本発明の特徴、構造又は特性は、１つ以上の実施形態において適当な仕方で組み合わされる。例えば、本明細書全体にわたる句「ある実施形態」「幾つかの実施形態」又は他の同様の言語の使用は、その実施形態に関連して述べる特定の特徴、構造又は特性が本発明の少なくとも１つの実施形態に含まれることを意味する。
【００１９】
従って、本明細書全体にわたり、句「ある実施形態において」「幾つかの実施形態において」「他の実施形態において」又は他の同様に言語が現われたときには、必ずしもその全部が同じグループの実施形態を指すものではなく、そしてここに述べる特徴、構造又は特性は、１つ以上の実施形態において任意の適当な仕方で組み合わされてもよい。更に、必要に応じて、以下に述べる異なる機能が異なる順序で及び／又は互いに同時に遂行されてもよい。更に、必要に応じて、ここに述べる機能の１つ以上が任意であってもよいし、組み合わされてもよい。従って、以下の説明は、本発明の原理、技術及び実施形態の単なる例示に過ぎず、それに限定されるものではない。
【００２０】
本発明の幾つかの実施形態は、ＬＴＥ／ＵＭＴＳに適用でき、特に、隣接セルが複数の周波数帯域をサポートする場合には、ＳＯＮ及びＳＮＲに関連したものとなる。
【００２１】
ＬＴＥ及びＵＭＴＳの場合、異なる帯域番号を伴う物理的周波数帯域が完全に又は部分的に重畳する。それ故、１つのセルが複数の帯域をサポートすることができる。リリース独立の特徴として、３ＧＰＰは、マルチ周波数帯域インジケータ（ＭＦＢＩ）シグナリングを種々の場所に追加する。例えば、図１に示されたＬＴＥでは、システム情報ブロック１（ＳＩＢ１）のレガシー部分がそのネーティブな帯域番号、例えば、ｆｒｅｑＢａｎｄＩｎｄｉｃａｔｏｒ  １００をブロードキャストし、そしてネーティブな帯域番号が拡張範囲、例えば、ｆｒｅｑＢａｎｄｉｎｄｉｃａｔｏｒ−ｖ９ｅ０  １０１内にあるが、セルは、そのセルがサポートする付加的な帯域番号、例えば、ＭｕｌｔｉｂａｎｄＩｎｆｏＬｉｓｔ  １０５をブロードキャストする場合、及び付加的な帯域番号が拡張範囲ＭｕｌｔｉｂａｎｄＩｎｆｏＬｉｓｔ−ｖ９ｅ０  １０６内にある場合について述べる。
【００２２】
更に、ＵＥ関連シグナリングについて、セルが、例えば、帯域５及び帯域２６をサポートするが、ＵＥは、その容量において帯域２６しか指示せず、帯域５を指示しない場合、ネットワークは、全ての専用メッセージが帯域５ではなく帯域２６に基づいて構成されることを保証しなければならない。又、ハンドオーバー中に、ソースｅＮＢは、ＵＥの能力及びターゲットセルにおいてサポートされる帯域を考慮に入れて、ＵＥのターゲット周波数を決定する。従って、前記ケースでは、ネットワークは、隣接セルがＭＦＢＩ機能をサポートするかどうか知らねばならない。
【００２３】
どの付加的な周波数帯域がセルによってサポートされるか隣接セルに通知するために、Ｘ２インターフェイス（３ＧＰＰ  ＴＳ  ３６．４２３により特定される）は、Ｘ２セットアップ要求、Ｘ２セットアップ応答、及び／又はｅＮＢ構成更新メッセージにおいてセルがサポートする付加的な周波数帯域のリストを含む。
【００２４】
ＭｕｌｔｉｂａｎｄＩｎｆｏＬｉｓｔ情報エレメント（ＩＥ）は、図２に示すように、好みの低下する順にリストされた、セルが属する付加的な周波数帯域インジケータを含む（３ＧＰＰ  ＴＳ  ３６．４２３を参照）。しかしながら、Ｘ２インターフェイスは、ＬＴＥネットワークにおけるｅＮＢ間に常に利用可能ではなく、インターＲＡＴ（無線アクセス技術）のケースでは利用できない。それ故、隣接セルがサポートするのはどの付加的な周波数帯域かに関する情報は、前記ケースでは、サービングセルに得られない。これらのシナリオでは、オペレーション及びメンテナンス（Ｏ＆Ｍ）がこの情報を構成しなければならないか、又は移動判断の間にＭＦＢＩを考慮することはできない。本発明の実施形態は、少なくともこの問題を解消する。
【００２５】
ＡＮＲ特徴は、グローバルセルアイデンティティ、トラッキングエリアコード（ＴＡＣ）、及び隣接セルの公衆地上移動ネットワーク識別子（ＰＬＭＮ  Ｉｄ）を読み取りそして報告するようにサービングセルがＵＥに要求できる仕方で定義される。本発明の実施形態は、隣接セルがＬＴＥシステムのＳＩＢ１において及びＵＭＴＳシステムのＳＩＢ５／５ｂｉｓにおいてブロードキャストする周波数帯域リストをＵＥが読み取りそしてそれをサービングセルに報告もできるようにこのＡＮＲ機能を拡張することができる。
【００２６】
ある実施形態によれば、隣接セルの周波数帯域を指示するための必要なパラメータ（例えば、ＭｕｌｔｉｂａｎｄＩｎｆｏＬｉｓｔ）がＭｅａｓＲｅｓｕｌｔＥＵＴＲＡ及び／又はＭｅａｓＲｅｓｕｌｔＵＴＲＡレポートに追加される。図３ａは、ＭｕｌｔｉｂａｎｄＩｎｆｏＬｉｓｔ−ｒｘｘパラメータ３００を含むＭｅａｓＲｅｓｕｌｔＥＵＴＲＡレポートの一例を示す。図３ｂは、ＭｕｌｔｉｂａｎｄＩｎｆｏＬｉｓｔＵＭＴＳ−ｒｘｘパラメータ３０１を含むＭｅａｓＲｅｓｕｌｔＵＴＲＡの一例を示す。
【００２７】
或いは又、別の実施形態では、図４に示すように、測定レポートのｌａｔｅＮｏｎＣｒｉｔｉｃａｌＥｘｔｅｎｓｉｏｎパラメータに新たなパラメータが含まれる。
【００２８】
一実施形態によれば、ＭｕｌｔｉｂａｎｄＩｎｆｏＬｉｓｔは、次の場合に、ＭｅａｓｕｒｅｍａｎｔＲｅｐｏｒｔに含まれる。
・ｒｅｐｏｒｔＣＧＩ測定のためのＭｅａｓｕｒｅｍａｎｔＲｅｐｏｒｔである；
・ＵＥがＭｅａｓｕｒｅｍａｎｔＲｅｐｏｒｔにおいてサービングセルに周波数帯域リストを報告できる；及び／又は
・隣接セルが付加的な周波数帯域をサポートする（例えば、ＳＩＢ１においてＭｕｌｔｉｂａｎｄＩｎｆｏＬｉｓｔ  ＩＥ及び／又はＭｕｌｔｉｂａｎｄＩｎｆｏＬｉｓｔ  ｖ９ｅ０をブロードキャストする）。
【００２９】
一実施形態において、サービングセルは、測定レポートにＭｕｌｔｉｂａｎｄＩｎｆｏＬｉｓｔ−ｒｘｘが存在するかどうか知る必要がある。というのは、隣接セルはＭｕｌｔｉｂａｎｄＩｎｆｏＬｉｓｔをブロードキャストしておらず、又はＵＥは、それを読み取り及び／又は報告できないからである。これは、ある実施形態による多数の方法を経て達成することができる。
【００３０】
例えば、ある実施形態において、ＵＥがこの機能をサポートするかどうか指示する新規な特徴グループインジケータ（ＦＧＩ）ビットを定義することができる。この解決策は、隣接セルによりサポートされる付加的な周波数帯域をＵＥが報告できるかどうかＭｅａｓｕｒｅｍａｎｔＲｅｐｏｒｔに基づいて決定するのではなく、ｒｅｐｏｒｔＣＧＩ測定を遂行するためにサービングセルがケーパブルＵＥを先験的に選択することを許す。
【００３１】
別の実施形態では、ＬＴＥの場合に、ＵＥがＭＦＢＩ機能をサポートするかどうか／それについてテストされたかどうか指示するためにＦＧＩ３１が使用される。ＵＭＴＳでも同じ目的のためにＵＥ能力ビットが定義される。従って、この実施形態では、ＬＴＥにおけるＦＧＩ３１の定義及びＵＭＴＳにおける能力は、拡張ＡＮＲ機能のサポートを含むように拡張することができる。
【００３２】
更に別の実施形態によれば、新規なＵＥ能力ＩＥは、ＵＥがこの拡張ＡＮＲ機能をサポートするかどうか指示するために定義される。更に、この機能は、特定の３ＧＰＰリリース時においてスタートするＵＥにとって強制となる。
【００３３】
別の実施形態によれば、ｆｒｅｑＢａｎｄＩｎｄｉｃａｔｏｒ−ｒ１１のＭａｘＭｕｌｔｉＢａｎｄインスタンスに対して１ではなく、ｆｒｅｑＢａｎｄＩｎｄｉｃａｔｏｒ−ｒ１１のＭａｘＭｕｌｔｉＢａｎｄインスタンスに対して０を許す測定レポートのためにＭｕｌｔｉｂａｎｄＩｎｆｏＬｉｓｔ−ｒｘｘの変形が定義される。この解決策では、ＭｕｌｔｉｂａｎｄＩｎｆｏＬｉｓｔ−ｒｘｘ  ＩＲが測定レポートに含まれるが、空である（即ち、ｆｒｅｑＢａｎｄＩｎｄｉｃａｔｏｒ−ｒ１１の０インスタンスを含む）場合には、隣接セルが付加的な周波数帯域をサポートしないことを指示し；ＭｕｌｔｉｂａｎｄＩｎｆｏＬｉｓｔ−ｒｘｘ  ＩＥが含まれない場合には、ＵＥが隣接セルのＭｕｌｔｉｂａｎｄＩｎｆｏＬｉｓｔ−ｒｘｘを読み取り及び／又は報告することができない。
【００３４】
図５は、本発明の実施形態を適用できるシステムの一例を示す。図５は、１つの規範的システムを示すが、実施形態は、他のシステム又は構成にも同様に適用できる。図５に示すように、このシステムは、ＵＥ５００、サービングセル５０５、及び隣接セル５１０を備えている。上述したように、ＵＥ５００は、隣接セル５１０が、例えば、ＳＩＢ１においてブロードキャストする周波数帯域リストを読み取り／受け取り、そしてそれをサービングセル５０５へ報告するように構成される。
【００３５】
図６ａは、一実施形態による装置１０の一例を示す。ある実施形態において、装置１０は、移動装置又はＵＥである。更に、当業者であれば、装置１０が図６ａに示されていないコンポーネント又は特徴を含むことを理解できることに注意されたい。図６ａには、本発明を例示するのに必要なコンポーネント又は特徴しか示されていない。
【００３６】
図６ａに示すように、装置１０は、情報を処理しそしてインストラクション又はオペレーションを実行するためのプロセッサ２２を備えている。プロセッサ２２は、任意の形式の汎用プロセッサ又は特殊目的プロセッサである。図６ａには、単一のプロセッサ２２が示されているが、他の実施形態では複数のプロセッサが使用されてもよい。実際に、プロセッサ２２は、例えば、汎用コンピュータ、特殊目的コンピュータ、マイクロプロセッサ、デジタル信号プロセッサ（ＤＳＰ）、フィールドプログラマブルゲートアレイ（ＦＰＧＡ）、特定用途向け集積回路（ＡＳＩＣ）、及びマルチコアプロセッサアーキテクチャーをベースとするプロセッサ、の１つ以上を含む。
【００３７】
装置１０は、更に、プロセッサ２２によって実行されるインストラクション及び情報を記憶するためにプロセッサ２２に結合されるメモリ１４も備えている。メモリ１４は、ローカルアプリケーション環境に適した形式の１つ以上のメモリであり、そして半導体ベースのメモリ装置、磁気メモリ装置及びシステム、光学メモリ装置及びシステム、固定メモリ、並びに除去可能なメモリのような適当な揮発性又は不揮発性データストレージ技術を使用して実施される。例えば、メモリ１４は、ランダムアクセスメモリ（ＲＡＭ）、リードオンリメモリ（ＲＯＭ）、磁気又は光学ディスクのようなスタティックストレージ、或いは他の形式の非一時的マシン又はコンピュータ読み取り可能な媒体の組み合わせより成る。メモリ１４に記憶されるインストラクションは、プロセッサ２２によって実行されるときに、装置１０がここに述べるタスクを遂行できるようにするプログラムインストラクション又はコンピュータプログラムコードを含む。
【００３８】
又、装置１０は、信号及び／又はデータを装置１０から送信し及び受信するために１つ以上のアンテナ２５も備えている。更に、装置１０は、情報を送信及び受信するように構成されたトランシーバ２８も備えている。例えば、トランシーバ２８は、アンテナ２５により送信するために搬送波に情報を変調し、そしてアンテナ２５を経て受信した情報を、装置１０の他の要素により更に処理するために復調するように構成される。他の実施形態では、トランシーバ２８は、信号又はデータを直接的に送信及び受信することができる。
【００３９】
プロセッサ２２は、これに限定されないが、アンテナ利得／位相パラメータを予めコード化し、通信メッセージを形成する個々のビットをエンコード及びデコードし、情報をフォーマットし、そして通信リソースの管理に関連したプロセスを含めて装置１０を全体的に制御することを含む装置１０のオペレーションに関連した機能を遂行する。
【００４０】
一実施形態において、メモリ１４は、プロセッサ２２によって実行されたときに機能を果たすソフトウェアモジュールを記憶する。それらモジュールは、例えば、装置１０のためのオペレーティングシステム機能を果たすオペレーティングシステムを含む。又、メモリは、装置１０のための付加的な機能を果たすためにアプリケーション又はプログラムのような１つ以上の機能的モジュールも記憶する。装置１０のコンポーネントは、ハードウェアで実施されてもよいし、又はハードウェア及びソフトウェアの適当な組み合わせとして実施されてもよい。
【００４１】
ある実施形態では、装置１０は、移動ステーション又はＵＥである。この実施形態では、装置１０は、少なくとも１つの隣接セルによってブロードキャストされる周波数帯域リストを読み取り／受け取り、そしてその周波数帯域リストを、ユーザ装置にサービスするセル（例えば、ｅＮＢ）へ報告するため、メモリ１４及びプロセッサ２２により制御される。装置１０は、更に、周波数帯域リストを含む情報エレメントを測定レポートに追加し、そして情報エレメントを含む測定レポートをサービングセルへ送出するため、メモリ１４及びプロセッサ２２により制御される。ある実施形態では、情報エレメントは、ＭｕｌｔｉｂａｎｄＩｎｆｏＬｉｓｔ情報エレメントを含む。
【００４２】
一実施形態によれば、装置１０は、更に、測定レポートのｌａｔｅＮｏｎＣｒｉｔｉｃａｌＥｘｔｅｎｓｉｏｎに新たなパラメータを追加するため、メモリ１４及びプロセッサ２２によって制御される。例えば、一実施形態において、測定レポートは、ＭｅａｓＲｅｓｕｌｔＥＵＴＲＡ又はＭｅａｓＲｅｓｕｌｔＵＴＲＡである。ある実施形態において、装置１０は、更に、ｒｅｐｏｒｔＣＧＩ測定のための測定レポートであるとき、ユーザ装置が周波数帯域リストを測定レポートにおいてサービングセルへ報告できるとき、及び／又は隣接セルが付加的な周波数帯域をサポートするとき、情報エレメントを測定レポートに追加するために、メモリ１４及びプロセッサ２２により制御される。
【００４３】
図６ｂは、別の実施形態による装置２０の一例を示す。一実施形態において、装置２０は、サービングベースステーション又はサービングｅＮＢのようなベースステーション又はｅＮＢである。当業者であれば、装置２０が図６ｂに示されていないコンポーネント又は特徴を含むことを理解できることに注意されたい。図６ｂには、本発明を例示するのに必要なコンポーネント又は特徴しか示されていない。
【００４４】
図６ｂに示すように、装置２０は、情報を処理しそしてインストラクション又はオペレーションを実行するためのプロセッサ３２を備えている。プロセッサ３２は、任意の形式の汎用プロセッサ又は特殊目的プロセッサである。図６ｂには、単一のプロセッサ３２が示されているが、他の実施形態では複数のプロセッサが使用されてもよい。実際に、プロセッサ３２は、例えば、汎用コンピュータ、特殊目的コンピュータ、マイクロプロセッサ、デジタル信号プロセッサ（ＤＳＰ）、フィールドプログラマブルゲートアレイ（ＦＰＧＡ）、特定用途向け集積回路（ＡＳＩＣ）、及びマルチコアプロセッサアーキテクチャーをベースとするプロセッサ、の１つ以上を含む。
【００４５】
装置２０は、更に、プロセッサ３２によって実行されるインストラクション及び情報を記憶するためにプロセッサ３２に結合されるメモリ３４も備えている。メモリ３４は、ローカルアプリケーション環境に適した形式の１つ以上のメモリであり、そして半導体ベースのメモリ装置、磁気メモリ装置及びシステム、光学メモリ装置及びシステム、固定メモリ、並びに除去可能なメモリのような適当な揮発性又は不揮発性データストレージ技術を使用して実施される。例えば、メモリ３４は、ランダムアクセスメモリ（ＲＡＭ）、リードオンリメモリ（ＲＯＭ）、磁気又は光学ディスクのようなスタティックストレージ、或いは他の形式の非一時的マシン又はコンピュータ読み取り可能な媒体の組み合わせより成る。メモリ３４に記憶されるインストラクションは、プロセッサ３２によって実行されるときに、装置２０がここに述べるタスクを遂行できるようにするプログラムインストラクション又はコンピュータプログラムコードを含む。
【００４６】
又、装置２０は、信号及び／又はデータを装置２０から送信し及び受信するために１つ以上のアンテナ３５も備えている。更に、装置２０は、情報を送信及び受信するように構成されたトランシーバ３８も備えている。例えば、トランシーバ３８は、アンテナ３５により送信するために搬送波に情報を変調し、そしてアンテナ３５を経て受信した情報を、装置２０の他の要素により更に処理するために復調するように構成される。他の実施形態では、トランシーバ３８は、信号又はデータを直接的に送信及び受信することができる。
【００４７】
プロセッサ３２は、これに限定されないが、アンテナ利得／位相パラメータを予めコード化し、通信メッセージを形成する個々のビットをエンコード及びデコードし、情報をフォーマットし、そして通信リソースの管理に関連したプロセスを含めて装置２０を全体的に制御することを含む装置２０のオペレーションに関連した機能を遂行する。
【００４８】
一実施形態において、メモリ３４は、プロセッサ３２によって実行されたときに機能を果たすソフトウェアモジュールを記憶する。それらモジュールは、例えば、装置２０のためのオペレーティングシステム機能を果たすオペレーティングシステムを含む。又、メモリは、装置２０のための付加的な機能を果たすためにアプリケーション又はプログラムのような１つ以上の機能的モジュールも記憶する。装置２０のコンポーネントは、ハードウェアで実施されてもよいし、又はハードウェア及びソフトウェアの適当な組み合わせとして実施されてもよい。
【００４９】
上述したように、ある実施形態によれば、装置２０は、サービングベースステーション又はｅＮＢである。この実施形態では、装置２０は、少なくとも１つの隣接セルによりブロードキャストされる周波数帯域リストを読み取りそして報告できるＵＥから測定レポートを受け取るために、メモリ３４及びプロセッサ３２によって制御される。周波数帯域リストは、少なくとも１つの隣接セルがサポートする周波数帯域番号を含み、そして測定レポートは、少なくとも１つの隣接セルによりサポートされる周波数帯域番号を含む情報エレメントを備えている。ある実施形態では、この情報エレメントは、ｍｕｌｔｉｂａｎｄＩｎｆｏＬｉｓｔ−ｒｘｘ情報エレメントを含む。
【００５０】
一実施形態によれば、装置２０は、更に、少なくとも１つの隣接セルによりサポートされる周波数帯域番号をユーザ装置が読み取って報告できるかどうかインジケータが指示するよう定義するために、メモリ３４及びプロセッサ３２によって制御される。一実施形態では、インジケータは、特徴グループインジケータ（ＦＧＩ）及び／又はユーザ装置能力情報エレメントを含む。ある実施形態では、例えば、ＬＴＥの場合に、ＦＧＩは、ＵＥがＭＦＢＩ機能をサポートするかどうか指示するために使用される。
【００５１】
一実施形態では、ｍｕｌｔｉｂａｎｄＩｎｆｏＬｉｓｔ−ｒｘｘ情報エレメントがＦｒｅｑＢａｎｄＩｎｄｉｃａｔｏｒ−ｒ１１のＭａｘＭｕｌｔｉＢａｎｄインスタンスに対して０を許す。ｍｕｌｔｉｂａｎｄＩｎｆｏＬｉｓｔ−ｒｘｘ情報エレメントがＦｒｅｑＢａｎｄＩｎｄｉｃａｔｏｒ−ｒ１１の０インスタンスを含むとき、それは、少なくとも１つの隣接セルが付加的な周波数帯域をサポートしないという指示である。
【００５２】
図７は、ある実施形態による方法のフローチャートの一例を示す。一実施形態では、図７の方法は、ＵＥにより遂行される。この方法は、７００において、隣接セルによりブロードキャストされた周波数帯域リストを読み取り又は受け取ることを含む。ある実施形態では、この方法は、更に、７１０において、周波数帯域リストを含む情報エレメントを測定レポートに追加することを含む。この方法は、更に、７２０において、周波数帯域リストを含む測定レポートをユーザ装置のサービングセルへ送出することを含む。
【００５３】
ある実施形態では、図７に示すような、ここに述べるいずれかの方法の機能は、メモリ或いは他のコンピュータ読み取り可能な又は有形の媒体に記憶されてプロセッサによって実行されるソフトウェア及び／又はコンピュータプログラムコードによって実施される。他の実施形態では、その機能は、ハードウェアにより、例えば、特定用途向け集積回路（ＡＳＩＣ）、プログラマブルゲートアレイ（ＰＧＡ）、フィールドプログラマブルゲートアレイ（ＦＰＧＡ）、又はハードウェア及びソフトウェアの他の組み合わせを使用することにより、遂行される。
【００５４】
当業者であれば、上述した本発明は、異なる順序のステップで、及び／又はここに開示されたものとは異なる構成のハードウェアエレメントで、実施できることが容易に理解されよう。それ故、本発明は、好ましい実施形態に基づいて説明したが、本発明の精神及び範囲から逸脱せずに、幾つかの変更、修正及び代替的構造が当業者に明らかであろう。それ故、本発明の範囲を決定するためには、特許請求の範囲を参照されたい。
【符号の説明】
【００５５】
１０：装置
１４：メモリ
２０：装置
２２：プロセッサ
２５、３５：アンテナ
２８：トランシーバ
３２：プロセッサ
３４：メモリ
３８：トランシーバ
５００：ＵＥ
５０５：サービングセル
５１０：隣接セル
【図１】
2019165508.tif 000003
【図２】
2019165508.tif 000004
【図３ａ】
2019165508.tif 000005
【図３ｂ】
2019165508.tif 000006
【図４】
2019165508.tif 000007
【図５】
2019165508.tif 000008
【図６ａ】
2019165508.tif 000009
【図６ｂ】
2019165508.tif 000010
【図７】
2019165508.tif 000011
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
１つの隣接セルによってブロードキャストされる、前記１つの隣接セルによってサポートされる周波数帯域からなる周波数帯域リストをユーザ装置により読み取り；及び
ユーザ装置にサービスするセルに、ユーザ装置によって、前記周波数帯域リストを報告する；
ことを含む方法。
【請求項２】
前記周波数帯域リストを含む情報エレメントを測定レポートに追加することを更に含み、前記報告は、その情報エレメントを含む測定レポートをサービングセルへ送出することを含む、請求項１に記載の方法。
【請求項３】
前記追加は、測定レポートのｌａｔｅＮｏｎＣｒｉｔｉｃａｌＥｘｔｅｎｓｉｏｎに新たなパラメータを追加することを更に含む、請求項１又は２に記載の方法。
【請求項４】
前記測定レポートは、ＭｅａｓＲｅｓｕｌｔＥＵＴＲＡ又はＭｅａｓＲｅｓｕｌｔＵＴＲＡを含む、請求項１から３のいずれか１つに記載の方法。
【請求項５】
前記追加は、前記測定レポートがｒｅｐｏｒｔＣＧＩ測定のためのものであるとき、又はユーザ装置が周波数帯域リストを測定レポートにおいてサービングセルへ報告できるとき、又は隣接セルが付加的な周波数帯域をサポートするとき、測定レポートに情報エレメントを追加することを含む、請求項２に記載の方法。
【請求項６】
少なくとも１つのプロセッサ、及び
コンピュータプログラムコードを含む少なくとも１つのメモリ、
を備えた装置において、少なくとも１つのメモリ及びコンピュータプログラムコードは、少なくとも１つのプロセッサとで、装置が、少なくとも、
１つの隣接セルによりブロードキャストされる、前記１つの隣接セルによってサポートされる周波数帯域からなる周波数帯域リストを読み取り、及び
ユーザ装置にサービスするセルに、前記周波数帯域リストを報告する、
ようにさせるよう構成された装置。
【請求項７】
１つの隣接セルによりブロードキャストされる、前記１つの隣接セルによってサポートされる周波数帯域からなる周波数帯域リストを読み取るための読み取り手段、及び
ユーザ装置にサービスするセルに、前記周波数帯域リストを報告するための報告手段、
を備えた装置。
【請求項８】
前記装置は、ユーザ装置である、請求項７に記載の装置。
【請求項９】
前記周波数帯域リストを含む情報エレメントを測定レポートに追加するための追加手段を更に備え、前記報告手段は、その情報エレメントを含む測定レポートをサービングセルへ送出する手段を含む、請求項７又は８に記載の装置。
【請求項１０】
前記追加手段は、測定レポートのｌａｔｅＮｏｎＣｒｉｔｉｃａｌＥｘｔｅｎｓｉｏｎに新たなパラメータを追加する手段を更に含む、請求項９に記載の装置。
【請求項１１】
前記測定レポートは、ＭｅａｓＲｅｓｕｌｔＥＵＴＲＡ又はＭｅａｓＲｅｓｕｌｔＵＴＲＡを含む、請求項７から１０のいずれか１つに記載の装置。
【請求項１２】
前記追加手段は、前記測定レポートがｒｅｐｏｒｔＣＧＩ測定のためのものであるとき、又はユーザ装置が周波数帯域リストを測定レポートにおいてサービングセルへ報告できるとき、又は隣接セルが付加的な周波数帯域をサポートするとき、測定レポートに情報エレメントを追加する手段を更に含む、請求項９に記載の装置。
【請求項１３】
コンピュータ読み取り可能な媒体において実施されるコンピュータプログラムであって、請求項１から５のいずれか１つに記載の方法を遂行するプロセスを制御するように構成されたコンピュータプログラム。
【請求項１４】
サービングセルにより、１つの隣接セルによりブロードキャストされる、前記１つの隣接セルによってサポートされる周波数帯域からなる周波数帯域リストを読み取りそして報告することのできるユーザ装置から測定レポートを受け取ること、を含み；
前記周波数帯域リストは、少なくとも１つの隣接セルがサポートする周波数帯域番号を含むものであり、及び
前記測定レポートは、少なくとも１つの隣接セルによりサポートされる周波数帯域番号を含む情報エレメントを備えたものである、方法。
【請求項１５】
少なくとも１つの隣接セルによりサポートされる周波数帯域番号をユーザ装置が読み取り及び報告できるかどうか指示するインジケータを定義することを更に含む、請求項１４に記載の方法。
【請求項１６】
前記インジケータは、特徴グループインジケータ（ＦＧＩ）又はユーザ装置能力情報エレメントの少なくとも１つを含む、請求項１４又は１５の記載の方法。
【請求項１７】
前記測定レポートにおける周波数帯域番号のリストは、その帯域番号のｍａｘＭｕｌｔｉＢａｎｄインスタンスに対して０を有することを許す、請求項１４から１６のいずれか１つに記載の方法。
【請求項１８】
前記周波数帯域番号のリストが帯域番号の０インスタンスを含むとき、少なくとも１つの隣接セルは、付加的な周波数帯域をサポートしない、請求項１７に記載の方法。
【請求項１９】
少なくとも１つのプロセッサ、及び
コンピュータプログラムコードを含む少なくとも１つのメモリ、
を備えた装置において、少なくとも１つのメモリ及びコンピュータプログラムコードは、少なくとも１つのプロセッサとで、装置が、少なくとも、
１つの隣接セルによりブロードキャストされる、前記１つの隣接セルによってサポートされる周波数帯域からなる周波数帯域リストを読み取り及び報告することのできるユーザ装置から測定レポートを受け取るようにさせるよう構成され；
前記周波数帯域リストは、少なくとも１つの隣接セルがサポートする周波数帯域番号を含むものであり、及び
前記測定レポートは、少なくとも１つの隣接セルによりサポートされる周波数帯域番号を含む情報エレメントを備えたものである、装置。
【請求項２０】
１つの隣接セルによりブロードキャストされる、前記１つの隣接セルによってサポートされる周波数帯域からなる周波数帯域リストを読み取り及び報告することのできるユーザ装置から測定レポートを受け取るための受け取り手段を備え、
前記周波数帯域リストは、少なくとも１つの隣接セルがサポートする周波数帯域番号を含むものであり、及び
前記測定レポートは、少なくとも１つの隣接セルによりサポートされる周波数帯域番号を含む情報エレメントを備えたものである、装置。
【請求項２１】
少なくとも１つの隣接セルによりサポートされる周波数帯域番号をユーザ装置が読み取り及び報告できるかどうか指示するインジケータを定義する定義手段を更に備えた、請求項２０に記載の装置。
【請求項２２】
前記インジケータは、特徴グループインジケータ（ＦＧＩ）又はユーザ装置能力情報エレメントの少なくとも１つを含む、請求項２１の記載の装置。
【請求項２３】
前記測定レポートにおける周波数帯域番号のリストは、その帯域番号のｍａｘＭｕｌｔｉＢａｎｄインスタンスに対して０を有することを許す、請求項２０から２２のいずれか１つに記載の装置。
【請求項２４】
前記周波数帯域番号のリストが帯域番号の０インスタンスを含むとき、少なくとも１つの隣接セルは、付加的な周波数帯域をサポートしない、請求項２１に記載の装置。
【請求項２５】
前記装置は、進化型ノードＢ（ｅＮＢ）を含む、請求項２０から２４のいずれか１つに記載の装置。
【請求項２６】
コンピュータ読み取り可能な媒体において実施されるコンピュータプログラムであって、請求項１４から１８のいずれか１つに記載の方法を遂行するプロセスを制御するように構成されたコンピュータプログラム。
【外国語明細書】
2019165508000001.pdf